(57)【特許請求の範囲】
【請求項１】
撮像素子と、
被写体光の撮像素子への透光と遮光を制御する遮光手段と、
上記遮光手段の遮光状態にて撮像素子を動作させて補正データを読出す第１読出し手段と、
上記遮光手段の透光状態にて撮像素子を動作させて画像データを読出す第２読出し手段と、
上記第１読出し手段の補正データに基いて上記第２読出し手段の画像データの補正を行う画像補正手段と
を具備し、
上記第２読出し手段の動作を実行する前の撮影準備動作と並行して上記第１読出し手段による動作を実行し、該第２読出し手段による動作が実行された後に上記画像補正手段を実行することを特徴とする電子カメラ。
【請求項２】
被写体像を撮像する撮像素子と、
上記撮像素子への露光量を制御するシャッタと、
被写体輝度に応じて露出秒時を算出し、上記シャッタを開いて該露出秒時の画像データを上記撮像素子から取込む撮影動作と、上記シャッタを閉じて該露出秒時の補正データを上記撮像素子から取込む補正データ取得動作と、を実行可能な制御回路と、
上記補正データ取得動作で取込まれた補正データに基いて上記撮影動作で取込まれた画像データを補正する補正動作を行う補正回路と、
を有した電子カメラに於いて、
上記撮影動作の後、上記補正動作を実行するために上記補正データ取得動作を該撮影動作の前に実行される撮影準備動作に並行して実行し、該撮影準備動作の終了時に上記補正データ取得動作が終了していないときは、該補正データ取得動作の終了を検出した後に上記撮影動作を実行することを特徴とする電子カメラ。
【請求項３】
被写体像を撮像する撮像素子と、
上記撮像素子への露光量を制御するシャッタと、
被写体輝度に応じて露出秒時を算出し、上記シャッタを開いて該露出秒時の画像データを上記撮像素子から取込む撮影動作と、上記シャッタを閉じて上記撮像素子を積分動作させて補正データを取込む補正データ取得動作と、を実行可能な制御回路と、
上記補正データ取得動作で取込まれた補正データに基いて上記撮影動作で取込まれた画像データを補正する補正動作を行う補正回路と、
を有した電子カメラに於いて、
上記撮影動作の後、上記補正動作を実行するために上記補正データ取得動作を該撮影動作の前に実行される撮影準備動作に並行して実行し、該撮影準備動作終了と共に該補正データ取得動作も動作を終了して積分動作の時間を記憶し、該補正動作を実行する際に用いられる補正データは、該補正データ取得動作で取得された補正データを該撮影動作に於ける露出秒時と該記憶された積分動作の時間とに基き該露出秒時に対応する補正データへ変換されたものであることを特徴とする電子カメラ。
【請求項４】
上記撮影準備動作は、焦点検出動作、焦点調節のためのレンズ駆動動作、クイックリターンミラーの駆動動作、絞り駆動動作、撮影レンズの焦点距離調節動作及びストロボ装置の充電動作のうちの少なくとも１つを含むことを特徴とする請求項１乃至３の何れか１に記載の電子カメラ。
【発明の詳細な説明】
【０００１】
【発明の属する技術分野】
この発明は、撮像素子により被写体像を取込む電子的幸像装置に関し、より詳細には固体撮像素子を用いた電子カメラに於ける固定パターンノイズを除去した電子カメラに関するものである。
【０００２】
【従来の技術】
従来、例えば特開平８−５１５７１号公報に記載されているように、電子的撮像装置は、撮像素子と撮像素子への被写体光の透光遮光を制御する露出制御用シャッタを有している。この電子的撮像装置では、シャッタの透光状態で撮像素子から画像データの読出し後、撮像素子の固定パターンノイズ（Ｆｉｘｅｄ  Ｐａｔｔｅｒｎ  Ｎｏｉｓｅ；ＦＰＮ）を測定するために、シャッタの遮光状態で撮像素子から画像データの読出しが行われる。そして、この２つの画像データから、固定パターンノイズを含まない画像データが生成されるようになっている。
【０００３】
【発明が解決しようとする課題】
ところで、固定パターンノイズは、撮像素子の露光時間と温度により変化するため、画像データから完全に固定パターンノイズを除去するためには、固定パターンノイズのデータを撮影毎に測定することが望ましい。
【０００４】
しかしながら、このように撮影ごとに固定パターンノイズを測定するためには、１回の撮影動作に於いて撮像素子に対して２回の電荷蓄積動作を行わせるため、単純に考えれば２倍の積分時間を必要とする。
【０００５】
また、近年、デジタルカメラに対する画質向上のため、撮像素子の画素数がますます増える方向にある。そして、画素数の増加は、撮像素子からの画像データの読出し時間の増大につながる。したがって、固定パターンノイズのデータを毎回測定するならば、読出し時間も２倍となってしまう。
【０００６】
これら積分時間や読出し時間の増加は、カメラの動作シーケンス上では、レリーズタイムラグの増大や、連続撮影速度の低下となってしまうものであった。
この発明は、上記課題に鑑みてなされたものであり、積分時間や読出し時間の増加によるレリーズタイムラグの増大や、連続撮影速度の低下を防止して、画像データから固定パターンノイズの除去を正しく実行可能な電子カメラを提供することを目的とする。
【０００７】
【課題を解決するための手段】
すなわちこの発明は、撮像素子と、被写体光の撮像素子への透光と遮光を制御する遮光手段と、上記遮光手段の遮光状態にて撮像素子を動作させて補正データを読出す第１読出し手段と、上記遮光手段の透光状態にて撮像素子を動作させて画像データを読出す第２読出し手段と、上記第１読出し手段の補正データに基いて上記第２読出し手段の画像データの補正を行う画像補正手段とを具備し、上記第２読出し手段の動作を実行する前の撮影準備動作と並行して上記第１読出し手段による動作を実行し、該第２読出し手段による動作が実行された後に上記画像補正手段を実行することを特徴とする。
【０００８】
またこの発明は、被写体像を撮像する撮像素子と、上記撮像素子への露光量を制御するシャッタと、被写体輝度に応じて露出秒時を算出し、上記シャッタを開いて該露出秒時の画像データを上記撮像素子から取込む撮影動作と、上記シャッタを閉じて該露出秒時の補正データを上記撮像素子から取込む補正データ取得動作と、を実行可能な制御回路と、上記補正データ取得動作で取込まれた補正データに基いて上記撮影動作で取込まれた画像データを補正する補正動作を行う補正回路と、を有した電子カメラに於いて、上記撮影動作の後、上記補正動作を実行するために上記補正データ取得動作を該撮影動作の前に実行される撮影準備動作に並行して実行し、該撮影準備動作の終了時に上記補正データ取得動作が終了していないときは、該補正データ取得動作の終了を検出した後に上記撮影動作を実行することを特徴とする。
更にこの発明は、被写体像を撮像する撮像素子と、上記撮像素子への露光量を制御するシャッタと、被写体輝度に応じて露出秒時を算出し、上記シャッタを開いて該露出秒時の画像データを上記撮像素子から取込む撮影動作と、上記シャッタを閉じて上記撮像素子を積分動作させて補正データを取込む補正データ取得動作と、を実行可能な制御回路と、上記補正データ取得動作で取込まれた補正データに基いて上記撮影動作で取込まれた画像データを補正する補正動作を行う補正回路と、を有した電子カメラに於いて、上記撮影動作の後、上記補正動作を実行するために上記補正データ取得動作を該撮影動作の前に実行される撮影準備動作に並行して実行し、該撮影準備動作終了と共に該補正データ取得動作も動作を終了して積分動作の時間を記憶し、該補正動作を実行する際に用いられる補正データは、該補正データ取得動作で取得された補正データを該撮影動作に於ける露出秒時と該記憶された積分動作の時間とに基き該露出秒時に対応する補正データへ変換されたものであることを特徴とする。
【０００９】
この発明の電子カメラにあっては、被写体光の撮像素子への透光と遮光が遮光手段で制御され、上記遮光手段の遮光状態にて撮像素子が動作されて補正データが第１読出し手段にて読出される。一方、上記遮光手段の透光状態にて撮像素子が動作されて画像データが第２読出し手段にて読出される。また、画像補正手段により、上記第１読出し手段の補正データに基いて、上記第２読出し手段の画像データの補正が行われる。そして、上記第２読出し手段の動作が実行される前の撮影準備動作と並行して上記第１読出し手段による動作が実行され、該第２読出し手段による動作が実行された後に上記画像補正手段が実行される。
【００１０】
またこの発明の電子カメラにあっては、被写体像を撮像する撮像素子への露光量がシャッタによって制御される。そして、被写体輝度に応じて露出秒時が算出され、上記シャッタが開かれて該露出秒時の画像データが上記撮像素子から取込まれる撮影動作と、上記シャッタが閉じられて該露出秒時の補正データが上記撮像素子から取込まれる補正データ取得動作と、制御回路にて実行可能である。上記補正データ取得動作で取込まれた補正データに基いて上記撮影動作で取込まれた画像データは、補正動作を行う補正回路によって補正される。そして、上記撮影動作の後、上記補正動作を実行するために上記補正データ取得動作が該撮影動作の前に実行される撮影準備動作に並行して実行され、該撮影準備動作の終了時に上記補正データ取得動作が終了していないときは、該補正データ取得動作の終了が検出された後に上記撮影動作が実行される。
更にこの発明の電子カメラにあっては、被写体像を撮像する撮像素子への露光量がシャッタにより制御される。そして、被写体輝度に応じて露出秒時が算出され、上記シャッタが開かれて該露出秒時の画像データが上記撮像素子から取込まれる撮影動作と、上記シャッタが閉じられて上記撮像素子が積分動作されて補正データが取込まれる補正データ取得動作と、が制御回路により実行可能である。また、上記補正データ取得動作で取込まれた補正データに基いて上記撮影動作で取込まれた画像データが、補正動作を行う補正回路によって補正される。そして、上記撮影動作の後、上記補正動作を実行するために上記補正データ取得動作が該撮影動作の前に実行される撮影準備動作に並行して実行され、該撮影準備動作終了と共に該補正データ取得動作も動作が終了されて積分動作の時間が記憶され、該補正動作を実行する際に用いられる補正データは、該補正データ取得動作で取得された補正データを該撮影動作に於ける露出秒時と該記憶された積分動作の時間とに基き該露出秒時に対応する補正データへ変換されたものである。
【００１１】
【発明の実施の形態】
以下、図面を参照してこの発明の実施の形態を説明する。
図１は、この発明の第１の実施の形態の構成を示すもので、電子撮像カメラのブロック構成図である。
【００１２】
図１に於いて、図示されない被写体像からの撮影光束が、撮影レンズ１及び光量を調節するための露出手段である絞り２を介して、図示矢印方向に回動可能なクイックリターンミラー３に導かれる。クイックリターンミラー３の中央部はハーフミラーになっており、該クイックリターンミラー３のダウン時に一部の光束が透過する。そして、この透過した光束は、クイックリターンミラー３に設置されたサブミラー４で反射され、セパレータレンズ５を介してＡＦセンサ６に導かれる。
【００１３】
一方、クイックリターンミラー３で反射された撮影光束は、ペンタプリズム７、接眼レンズ８を介して撮影者の目に至る。
また、クイックリターンミラー３のアップ時には、上記撮影レンズ１からの光束は、フィルタ９、機械シャッタであるフォーカルプレーンシャッタ１０を介して撮像素子としてのＣＣＤ等に代表されるイメージセンサ１１に至る。上記フィルタ９は２つの機能を有しているもので、１つは赤外線をカットし可視光線のみをＣＣＤ１１へ導く機能であり、もう１つは光学ローパスフィルタとしての機能である。また、フォーカルプレーンシャッタ１０は、先幕及び後幕を有して成るもので、撮影レンズ１からの光束を透過、遮断を制御する遮光手段である。
【００１４】
尚、クイックリターンミラー３のアップ時には、サブミラー４は折り畳まれる。
システムコントローラ１４はＣＰＵにより構成されているもので、電子撮像カメラ全体の制御を行う制御手段、及び第１、第２の読出し手段である。そして、このシステムコントローラ１４には、撮影レンズ１を光軸方向に移動してピント合わせを行うためのレンズ駆動機構１５と、絞り２を駆動するための絞り駆動機構１６と、ＡＦセンサ６を駆動するためのＡＦセンサ制御回路１７と、クイックリターンミラー３のアップダウンの駆動を行うためのミラー駆動機構１８と、シャッタチャージ機構１９と、フォーカルプレーンシャッタ１０の先幕、後幕の走行を制御するためのシャッタ制御回路２０と、ＣＣＤ１１の近傍に設置された温度センサ２１と、接眼レンズ７の近傍に設置された測光センサ２２と、システムを制御する上で調整が必要なパラメータが記憶されているＥＥＰＲＯＭ２３とが接続されている。
【００１５】
上記ＡＦセンサ６は、ＣＣＤ等で構成されるイメージセンサであり、一対のレンズより構成されるセパレータレンズ５によって２つの被写体像が結合される。そして、イメージセンサ上の２つの像の相対的距離を求めることで、デフォーカス量を求めることができる。
【００１６】
上記測光センサ２２は、図示されない被写体の輝度を測定するためのセンサであり、この出力はシステムコントローラ１４へ供給される。
また、上記温度センサ２１は、ＣＣＤ１１の温度を検出するための測温手段である。温度センサ２１の出力は、ＣＣＤ１１の発生する固定パターンノイズを補正する時に必要となる。温度センサとしては、温度に応じて抵抗が変化するサーミスタが代表的である。理想的には、イメージセンサであるＣＣＤのチップ上に温度センサが存在すると良い。ＰＮ接合に発生する順方向電圧は温度に応じて変化するので、この電圧変化を検出しても良い。
【００１７】
上記システムコントローラ１４は、上記レンズ駆動機構１５を制御することにより、被写体像をＣＣＤ１１上へ結像できる。また、システムコントローラ１４は、設定されたＡｖ値に基いて、絞り２を駆動する絞り駆動機構１６を制御し、更に、設定されたＴｖ値に基いて、上記シャッタ制御回路２０へ制御信号を出力する。
【００１８】
上記フォーカルプレーンシャッタ１０の先幕、後幕は、駆動源がバネにより構成されており、シャッタ走行後が次の動作のためにバネチャージが必要である。シャッタチャージ機構１９は、そのバネチャージのために設けられている。
【００１９】
また、上記システムコントローラ１４には、画像データコントローラ２５が接続されている。この画像データコントローラ２５は、ＤＳＰ（デジタル信号プロセッサ）により構成される画像補正手段であり、ＣＣＤ１１の制御、該ＣＣＤ１１から入力された画像データの補正や加工等をシステムコントローラ１４の指令に基いて実行するものである。
【００２０】
また、上記画像データコントローラ２５には、ＣＣＤ１１を駆動する時に必要なパルス信号を出力するタイミングパルス発生回路２７と、ＣＣＤ１１と共にタイミングパルス発生回路２７で発生されたタイミングパルスを受けて、ＣＣＤ１１から出力される被写体像に対応したアナログ信号をデジタル信号に変換するためのＡ／Ｄコンバータ２８と、得られた画像データ（デジタルデータ）を一時的に記憶しておくＤＲＡＭ２９と、Ｄ／Ａコンバータ３０及び画像圧縮回路３３とが接続されている。
【００２１】
上記ＤＲＡＭ２９は、加工や所定のフォーマットへのデータ変換が行われる前の画像データを一時的に記憶するための記憶手段として使用される。更に、ＤＲＡＭ２９は着脱可能であり、ユーザは必要に応じて記憶容量を変更できるようになっている。
【００２２】
また、上記Ｄ／Ａコンバータ３０には、エンコーダ３１を介して画像表示回路３２が接続される。更に、画像圧縮回路３３には、画像データ記録メディア３４が接続される。
【００２３】
上記画像表示回路３２は、ＣＣＤ１１で撮像された画像データを表示するための回路であり、一般にはカラーの液晶表示素子により構成される。画像データコントローラ２５は、ＤＲＡＭ２９上の画像データを、Ｄ／Ａコンバータ３０によりアナログ信号に変換してエンコーダ回路３１へ出力する。すると、エンコーダ回路３１では、画像表示回路３２を駆動する時に必要な映像信号（例えばＮＴＳＣ信号）に、Ｄ／Ａコンバータ３０の出力が変換される。
【００２４】
上記画像圧縮回路３４は、ＤＲＡＭ２９に記憶された画像データの圧縮や変換（例えばＪＰＥＧ）を行うための回路である。変換された画像データは、画像データ記録メディア３４へ格納される。この記録メディアとしては、ハードディスク、フラッシュメモリ、フロッピーディスク等が使用される。
【００２５】
更に、システムコントローラ１４には、カメラの動作モードの情報や露出情報（Ｔｖ値、Ａｖ値等）の表示を行うための動作表示回路３６と、ユーザが所望の動作をこの電子撮像カメラに実行させるべく操作される多数のスイッチで構成される操作スイッチ（ＳＷ）３７が接続されている。
【００２６】
この操作スイッチ３７には、レリーズスイッチ、パワースイッチが含まれる。各スイッチの機能については後述する。
次に、図２及び図３のフローチャートを参照して、システムコントローラ１４のメインルーチンの動作について説明する。
【００２７】
操作スイッチ３７の１つであるパワースイッチがオンされてシステムに電力が供給されると、システムコントローラ１４の動作が開始される。先ず、ステップＳ１では、システムの初期化が行われる。ここでは、システムコントローラ１４のＩ／Ｏポートの初期化、メモリの初期化等が行われる。、
次いで、ステップＳ２にて、測光センサ２２から図示されない被写体の輝度情報が入力されるそして、ステップＳ３では、輝度情報とＣＣＤの感度に基いて、絞り２の設定値とシャッタの秒時（Ｔｓ）が算出される。
【００２８】
続くステップＳ４では、動作表示回路３６へカメラの動作状態を表すデータ（絞り値、シャッタ秒時、動作モード等）が送られる。このステップＳ４の動作は、周期的に実行されるので、動作表示回路３６の表示部には、常に新しいカメラの動作状態が表示される。
【００２９】
そして、ステップＳ５に於いて、タイマカウンタが動作中であるか否かが判定される。ここで、タイマカウンタが動作中ならば、ＦＰＮ（固定パターンノイズ）データが測定されるためにＣＣＤ１１が遮光された状態で積分動作が行われていることを示す。この場合は、ステップＳ１０へ移行する。一方、タイマが停止しているならば、積分動作は既に終了しているので、ステップＳ６へ移行する。
【００３０】
このステップＳ６では、画像データコントローラ２５に於いて、ＣＣＤ１１からの画像データ（ＦＰＮデータ）の読取り動作中であるか否かが検査される。ここで、画像データコントローラ２５が読取り動作中ならばステップＳ１０へ移行し、読取り動作が終了していればステップＳ７へ移行する。
【００３１】
ステップＳ７では、タイマカウンタに、上記ステップＳ３で演算された秒時（Ｔｓ）が設定される。続いて、ステップＳ８にて、該タイマカウンタのカウント動作がスタートされて、更にタイマカウンタのカウント値がＴｓに達した時に割込み処理が実行されるために割込みが許可される。
【００３２】
そして、ステップＳ９では、上記ＦＰＮデータを測定するために、画像データコントローラ２５に対してＣＣＤ１１の積分動作の開始が指示される。画像データコントローラ２５によるＣＣＤ１１の積分動作は、割込み処理が実行されるまで続けられる。
【００３３】
ここで、図４のフローチャートを参照して、割込み処理の動作について説明する。
上述したように、タイマカウンタのカウント値がＴｓに達すると、割込み処理がコールされる。そして、ステップＳ４１にて、タイマカウンタの動作が停止され、ステップＳ４２では、多重割込みを防止するため、割込みが禁止される。
【００３４】
また、ステップＳ４３では、画像データコントローラ２５に対してＣＣＤ１１の積分動作の停止が指示される。更に、ステップＳ４３では、画像データコントローラ２５に対してＣＣＤ１１から画像データの読込みが指示される。この画像データは、ＦＰＮデータとなる。
【００３５】
そして、ステップＳ４４にて、画像データコントローラ２５のＦＰＮデータ読込み動作の終了を待つことなく、メインルーチンへ復帰する。
図２のフローチャートに戻り、ステップＳ１０に於いては、操作スイッチ３７の１つであるレリーズスイッチの状態が検出される。ここで、レリーズスイッチがオンならばステップＳ１３へ移行し、オフならばステップＳ１１へ移行する。
【００３６】
ステップＳ１１では、パワースイッチの状態が検出される。ここで、パワースイッチがオフならば、システムの動作は停止されなければならない。そのため、ステップＳ１２に移行して、システムダウン（Ｄｏｗｎ）の処理が行われて、システムコントローラ１４の動作が停止される。一方、上記ステップＳ１１にてパワースイッチがオンならば、動作が続けられるため、上記ステップＳ２へ移行する。
【００３７】
上記ステップＳ１０に於いて、レリーズスイッチがオンされていると、ステップＳ１３にて、ＡＦセンサ制御回路１７へＡＦセンサ６の積分開始が指示される。次いで、ステップＳ１４に於いて、ＡＦセンサ６の積分が終了するまで待機する。
【００３８】
積分が終了するとステップＳ１５にて、ＡＦセンサ制御回路１７からＡＦセンサ６のデータが読出される。続いて、ステップＳ１６では、このデータを基にデフォーカス量が算出される。ステップＳ１７では、このデフォーカス量に基いて、レンズ駆動機構１５が制御されて、被写体像がＣＣＤ１１上へ結像される。
【００３９】
ステップＳ１８では、算出された絞り値に基いて絞り駆動機構１６が制御される。そして、ステップＳ１９では、ミラー駆動機構１８が制御されて、クイックリターンミラー３がアップ位置へ駆動される。
【００４０】
続く、ステップＳ２０においては、タイマカウンタの動作状態が検出される。ここで、タイマ動作中ならばタイマカウンタが停止するまで待機する。すなわち、割込み処理が実行されるまで、このステップＳ２０で待機する。
【００４１】
被写体の輝度が低いため、Ｔｓの値が大きい時にレリーズスイッチが操作されると、露光前の準備動作（上記ステップＳ１３〜Ｓ１９）が終了しても、ＦＰＮ測定のための積分動作が終了していないことがある。また、ＣＣＤ１１の積分動作は終了していても、画像データコントローラ２５によってデータの読込み動作が行われている場合もある。
【００４２】
そこで、ステップＳ２１では、画像データコントローラ２５が読込み動作中であるか否かが判定される。ここで、動作中ならば終了するまで待機する。
一方、被写体の輝度が高ければ、準備動作中にＦＰＮデータの測定は終了してしまう。この場合は、ステップＳ２０、Ｓ２１で待ち時間が発生することなく、ステップＳ２２へ移行することができる。
【００４３】
このステップＳ２２では、シャッタ１０の先幕スタート信号がシャッタ制御回路２０へ出力される。続くステップＳ２３では、シャッタ１０の秒時をカウントするためのタイマカウンタのカウント動作が開始される。
【００４４】
次いで、ステップＳ２４では、シャッタ１０の先幕の走行が終了するまで待機される。そして、ステップＳ２５にて、画像データコントローラ２５に対してＣＣＤ１１の積分動作が開始されるように指示が出される。
【００４５】
ステップＳ２６では、タイマカウンタの値がシャッタ秒時（Ｔｓ）に達するまで待機される。そして、ステップＳ２７にて、後幕スタート信号がシャッタ制御回路２０へ出力される。
【００４６】
ステップＳ２８では、画像データコントローラ２５に対してＣＣＤ１１の積分動作の停止が指示される。次いで、ステップＳ２９に於いて、シャッタ１０の後幕の走行が終了するまで待機される。
【００４７】
ステップＳ３０では、画像データコントローラ２５に対して、ＣＣＤ１１からの画像データの読込みが指示される。画像データコントローラ２５の画像データ取り込み動作中に、次の撮影動作のため値システムコントローラ１４では３つの動作が行われる。
【００４８】
すなわち、ステップＳ３１にて、シャッタチャージ機構１９が制御されてシャッタ１０の先幕と後幕を駆動するバネのチャージ動作が行われる。次いで、ステップＳ３２では、クイックリターンミラー３がダウン位置へ駆動される。更に、ステップＳ３３にて、絞り２が開放位置へ駆動される。
【００４９】
次いで、ステップＳ３４では、画像データコントローラ２５に対して、画像データから固定パターンノイズの除去が指示される。画像データコントローラ２５では、ＤＲＡＭ２９上の画像データとＦＰＮデータとが減算され、補正された画像データが作成される。
【００５０】
更に、ステップＳ３５に於いて、画像データコントローラ２５に対して、この補正された画像データが画像データ記録メディア３４へ転送されるように指示される。画像データコントローラ２５により、画像圧縮回路３３でデータが圧縮された後、画像データ記録メディア３４へデータが転送される。この後、上記ステップＳ２へ移行する。
【００５１】
次に、この発明の第２の実施の形態について説明する。
図５は、この発明の第２の実施の形態の構成を示すもので、電子撮像カメラのブロック構成図である。
【００５２】
図５に於いて、図１に示される第１の実施の形態と同じ構成要素については同一の参照番号を付して説明を省略する。
この第２の実施の形態は、撮影レンズを焦点距離が可変なズームレンズとして構成している。
【００５３】
被写体側から見て撮影レンズ１の手前側には、該撮影レンズ１を保護するための部材であるレンズバリア４１が配置され、絞り２を介して撮影レンズ１の後方には、ズーム光学系を構成するズームレンズ４２、４３が配置されている。
【００５４】
上記レンズバリア４１の開閉は、バリア駆動機構４７によって行われる。また、レンズバリア４１は、ＣＣＤ１１の遮光部材としての役割も有している。
更に、上記撮影レンズ１の焦点距離は、撮影レンズの一部（バリエータ）が移動されることにより行われる。この移動は、ズーム光学系駆動機構４８によって行われる。
【００５５】
撮影レンズを任意の焦点距離に設定可能なバリエータとファインダ光学系４６の一部は、連結機構４５によって連結されている。このため、撮影レンズの変倍動作を、ユーザはファインダ光学系４６を通して確認可能である。撮影レンズの焦点調整は、撮影レンズの一部を移動させることで可能であり、この移動は、フォーカス光学系駆動機構４９によって行われる。システムコントローラ１４は、このフォーカス光学系駆動機構４９を制御することによって、撮影レンズを任意の距離に設定可能となる。
【００５６】
また、システムコントローラ１４には、被写体までの距離を測定するための測距回路５１と、ストロボ制御回路５２が接続されている。このストロボ制御回路５２は、キセノン（Ｘｅ）管５３を発光させるために必要な昇圧回路及び該昇圧回路のエネルギーを蓄えるコンデンサ等を含んだ回路により構成される。
【００５７】
このストロボ制御回路５２に於いては、システムコントローラ１４からの制御信号に基いて、昇圧回路が動作される。更に、上記システムコントローラ１４からの制御信号に基いて、Ｘｅ管５３を発光させるトリガ信号が発生される。
【００５８】
また、第２の実施の形態に於いては、操作スイッチ３７には、ズームアップスイッチ、ズームダウンスイッチ、レリーズスイッチ、パワースイッチ、ストロボスイッチ等が含まれて構成される。各スイッチの機能については後述する。
【００５９】
次に、図６及び図７のフローチャートを参照して、第２の実施の形態に於けるシステムコントローラ１４のメインルーチンの動作について説明する。
ステップＳ５１〜Ｓ５９の動作ステップは、上述した第１の実施の形態に於ける図２のフローチャートのステップＳ１〜Ｓ９と同じであるので説明は省略する。
【００６０】
ステップＳ５８の処理が実行されると、割込み処理が許可される。そして、タイマカウンタの値がＴｓに達すると、割込み処理ルーチンがコールされる。この割込み処理ルーチンは、上述した第１の実施の形態に於ける図４のフローチャートがこの第２の実施の形態でも使用されるものとする。
【００６１】
ステップＳ６０では、操作スイッチ３７の１つであるズームアップスイッチの状態が検出される。ここで、ズームアップスイッチがオンされていればステップＳ６１へ移行して、撮影レンズ１の焦点距離が広角側から望遠側へ変更される。一方、上記ズームアップスイッチがオフならば、ステップＳ６２へ移行する。
【００６２】
そして、このステップＳ６２にて、操作スイッチの１つであるズームダウンスイッチの状態が検出される。ここで、ズームダウンスイッチがオンされていれば、ステップＳ６３へ移行して撮影レンズの焦点距離が望遠側から広角側へ変更される。一方、上記ズームダウンスイッチがオフならば、ステップＳ６４へ移行する。
【００６３】
ステップＳ６４では、操作スイッチの１つであるストロボスイッチの状態が検出される。ここで、ストロボスイッチがオンされている場合は、ステップＳ６５へ移行して、ストロボ制御回路５２に対して昇圧動作が指示される。ストロボ制御回路５２では、昇圧回路が駆動されて、Ｘｅ管５３発光のためのエネルギーがコンデンサへ蓄えられる。
【００６４】
一方、ステップＳ６４にてストロボスイッチがオフの場合は、ステップＳ６６へ移行して昇圧動作の停止が指示される。
次に、ステップＳ６７では、レリーズスイッチの状態が検出される。ここで、レリーズスイッチがオンならばステップＳ７０へ移行し、オフならばステップＳ６８へ移行する。
【００６５】
ステップＳ６８では、パワースイッチの状態が検出される。ここで、パワースイッチがオフならばシステムは停止されなければならない。したがって、ステップＳ６０に移行して、システムダウン（Ｄｏｗｎ）の処理が行われて、システムコントローラ１４の動作が停止される。一方、上記ステップＳ６８にて、パワースイッチがオンならば、動作が続けられるために上記ステップＳ５２へ移行する。
【００６６】
ステップＳ７０では、焦点調整動作が行われる。ここでは、測距回路５１より被写体までの距離情報が入力される。この情報に基いて、フォーカス光学系駆動機構４９が制御されて、被写体像がＣＣＤ１１上へ結像される。次いで、ステップＳ７１に於いて、ストロボスイッチの状態が検出される。ここで、ストロボスイッチがオンならばステップＳ７２へ移行し、オフならばステップＳ７３へ移行する。
【００６７】
このステップＳ７２では、ストロボが発光可能なレベルまでコンデンサに電荷が充電されているか否かが判定される。ここで、充電が不十分ならば、発光可能になるまで待機する。
【００６８】
ステップＳ７３では、タイマカウンタがカウント中であるか否かが判定される。ここで、タイマが動作されていなければ、ＦＰＮ測定のための積分動作は終了している。すなわち、割込み処理が実行されたことを示す。この場合は、ステップＳ７４へ移行して変換フラグがクリア（←“０”）される。この後、ステップＳ８１へ移行する。
【００６９】
一方、上記ステップＳ７３にて、タイマカウンタが動作中であった場合は、ＦＰＮ測定のためにＣＣＤ１１が積分中であることを示す。ここで、上述した第１の実施の形態では、積分中の場合は積分が終了するまで撮影動作への移動が停止されていた（図３のフローチャートのステップＳ２０の処理）。しかし、積分終了するまで待機することは、レリーズタイムラグの増大となり、ユーザはシャッタチャンスを失う可能性があった。
【００７０】
そこで、この第２の実施の形態では、積分動作中の場合は強制的に終了させる構成とした。すなわち、ステップＳ７３にて、タイマカウンタが動作中の場合は、ステップＳ７５へ移行して、タイマカウンタの動作が停止される。そして、続くステップＳ７６にて、タイマカウンタのカウント値がシステムコントローラ１４のメモリへＴｘとして記憶される。このＴｘは、ＦＰＮのデータが変換される際に必要となる。
【００７１】
次に、ステップＳ７７では割込みが禁止され、ステップＳ７８では変換フラグがセット（←“１”）される。更に、ステップＳ７９では、画像データコントローラ２５に対してＣＣＤ１１の積分動作の停止が指示される。次いで、ステップＳ８０にて、ＣＣＤ１１から画像データが読込まれるように指示される。その後、ステップＳ８１に移行する。
【００７２】
ステップＳ８１では、画像データコントローラ２５により、画像データの読込み中か否かが判定される。そして、画像データコントローラ２５が画像データの読込み中ならば、この動作が終了するまで待機する。
【００７３】
続くステップＳ８２では、算出された絞り値に基いて絞り駆動機構１６が制御される。ステップＳ８３では、バリア駆動機構４７が制御されてレンズバリア４１が開かれる。この動作によって、撮影レンズによる被写体像が、ＣＣＤ１１上に焦点を結ぶ。
【００７４】
ステップＳ８４では、シャッタ秒時をカウントするためのタイマカウンタのカウント動作が開始される。続くステップＳ８５では、画像データコントローラ２５に対して、ＣＣＤ１１の積分が開始されるよう指示される。
【００７５】
そして、ステップＳ８６に於いて、ストロボスイッチの状態が検出される。ここで、ストロボスイッチがオンならば、ステップＳ８７に移行して、ストロボ制御回路５２に対してＸｅ管５３の発光信号が出力される。一方、ステップＳ８７にて、ストロボスイッチがオフならば上記ステップＳ８７の動作は実行されない。
【００７６】
ステップＳ８８では、タイマカウンタの値がシャッタ秒時（Ｔｓ）に達するまで待機する。次いで、ステップＳ８９では、画像データコントローラ２５に対してＣＣＤ１１の積分が終了するように指示される。
【００７７】
次いで、ステップＳ９０では、バリア駆動機構４７が制御されてレンズバリア４１が閉じられる。更に、ステップＳ９１では、絞り２が開放位置へ戻される。そして、ステップＳ９２にて、画像データコントローラ２５に対して、ＣＣＤ１１からの画像データの読込みが指示される。
【００７８】
ステップＳ９３では、変換フラグの有無が判定される。ここで、フラグが“０”ならばステップＳ９４の処理をスキップしてステップＳ９５へ移行する。一方、上記フラグが“１”ならばＦＰＮ測定のための積分動作が強制的に停止されたことを示している（ステップＳ７５〜Ｓ８０）。この場合、ＤＲＡＭ２９上に記憶されているＦＰＮデータは、本来必要な積分時間（Ｔｓ）より短い積分時間で測定されたものである。したがって、本来の積分時間に相当するＦＰＮデータとなるように、現在あるＦＰＮデータを変換しなければならない。そこで、ステップＳ９４では、画像データコントローラ２５に対して測定時間（Ｔｘ）とシャッタ秒時（Ｔｓ）が送られると共に、ＦＰＮデータに対して変換演算が行われるように指示される。
【００７９】
画像データコントローラ２５では、以下の変換式によってすでに存在するＦＰＮデータが変換される。
ＦＰＮｎ′＝ＦＰＮｎ×Ｔｓ／Ｔｘ
ＦＰＮｎ：変換前の１画素のノイズデータ（ｎ＝１，２，３，…）
ＦＰＮｎ′：変換後の１画素のノイズデータ（ｎ＝１，２，３，…）
ステップＳ９５及びＳ９６の動作は、上述した第１の実施の形態に於ける図３のフローチャートのステップＳ３４及びＳ３５と全く同じ動作であるので説明は省略する。
【００８０】
尚、この第２の実施の形態のステップＳ７３では、強制的にＦＰＮ測定のための積分動作が停止されていた。しかしながら、強制的に停止された場合の積分時間（Ｔｘ）が、本来必要な時間（Ｔｓ）よりあまりにも短かいと、上式を使用しても必要とする正確なＦＰＮデータを得ることができなくなる。この問題を防止するためには、ステップＳ７３とステップＳ７５の間に、判定のための処理を追加する必要がある。例えば、Ｔｘ＜Ｔｓ×１／４の場合は、タイマカウンタのカウント値がＴｓ×１／４になるまではタイマカウント動作を続けるようにすれば良い。
【００８１】
ここでの判定値の１／４は、仮の値であって使用される撮像素子の特性に応じて決定する必要がある。
尚、この発明の上記実施の形態によれば、以下の如き構成を得ることができる。
【００８２】
（１）  撮像素子と、
被写体光の撮像素子への透光と遮光を制御する遮光手段と、
上記遮光手段の遮光状態にて撮像素子から画像データを読出す第１読出し手段と、
上記遮光手段の透光状態にて撮像素子から画像データを読出す第２読出し手段と、
上記第１読出し手段の画像データに基いて上記第２読出し手段の画像データの補正を行う画像補正手段と
を具備し、
上記第２読出し手段の動作を実行する前の撮影準備動作と並行して第１読出し手段の動作を実行するようにしたことを特徴とする電子カメラ。
【００８３】
（２）  上記撮影準備動作は、焦点検出動作、焦点調節のためのレンズ駆動動作、クイックリターンミラー駆動動作、絞り駆動動作、撮影レンズの焦点距離調節動作、及びストロボ装置の充電動作のうち少なくとも１つを含むことを特徴とする上記（１）に記載の電子カメラ。
【００８４】
【発明の効果】
以上のようにこの発明によれば、積分時間や読出し時間の増加によるレリーズタイムラグの増大や、連続撮影速度の低下を防止して、画像データから固定パターンノイズの除去を正しく実行可能な電子カメラを提供することができる。
【図面の簡単な説明】
【図１】この発明の第１の実施の形態の構成を示すもので、電子撮像カメラのブロック構成図である。
【図２】図１のシステムコントローラ１４のメインルーチンの動作について説明するフローチャートである。
【図３】図１のシステムコントローラ１４のメインルーチンの動作について説明するフローチャートである。
【図４】割込み処理の動作について説明するフローチャートである。
【図５】この発明の第２の実施の形態の構成を示すもので、電子撮像カメラのブロック構成図である。
【図６】第２の実施の形態に於けるシステムコントローラ１４のメインルーチンの動作について説明するフローチャートである。
【図７】第２の実施の形態に於けるシステムコントローラ１４のメインルーチンの動作について説明するフローチャートである。
【符号の説明】
１  撮影レンズ、
２  絞り、
３  クイックリターンミラー、
５  セパレータレンズ、
６  ＡＦセンサ、
８  接眼レンズ、
９  フィルタ、
１０  フォーカルプレーンシャッタ、
１１  ＣＣＤ（イメージセンサ）、
１４  システムコントローラ（ＣＰＵ）、
１５  レンズ駆動機構、
１６  絞り駆動機構、
１７  ＡＦセンサ制御回路、
１８  ミラー駆動機構、
１９  シャッタチャージ機構、
２０  シャッタ制御回路、
２１  温度センサ、
２２  測光センサ、
２３  ＥＥＰＲＯＭ、
２５  画像データコントローラ（ＤＳＰ）、
２９  ＤＲＡＭ、
３２  画像表示回路、
３３  画像圧縮回路、
３４  画像データ記録メディア、
３６  動作表示回路、
３７  操作スイッチ（ＳＷ）。
【図１】
0004146948.tif 000002
【図２】
0004146948.tif 000003
【図３】
0004146948.tif 000004
【図４】
0004146948.tif 000005
【図５】
0004146948.tif 000006
【図６】
0004146948.tif 000007
【図７】
0004146948.tif 000008